(57)【特許請求の範囲】
【請求項１】
カーテンレール（３）に取り付けられる取付体（１７）と、リング孔（４１）を有し前記取付体（１７）に固定されるリング支持体（１８）と、リング支持体（１８）のリング孔（４１）に保持されるリング（１９）とを備えたカーテン吊下具であって、
取付体（１７）はカーテンレール（３）の下方に配置される底板部（２３）を有し、リング支持体（１８）は、底板部（２３）に固定される固定板部（３７）と該固定板部（３７）から下方に突出した支持板部（３８）とを有し、支持板部（３８）にリング孔（４１）が形成され、支持板部（３８）から固定板部（３７）に亘ってリング孔（４１）へのリング挿入溝（４２）が設けられ、リング挿入溝（４２）の支持板部（３８）側の端部はリング孔（４１）に連通され、リング挿入溝（４２）の固定板部（３７）側の端部は固定板部（３７）の外方に連通したリング挿入口（４３）とされ、固定板部（３７）はリング挿入口（４３）を塞ぐように底板部（２３）に重合されて固定手段により着脱自在に固定されており、
前記固定板部（３７）又は底板部（２３）の一方に、リング挿入溝（４２）の左右方向両側に対応して係合凸部（４７）が突設され、他方に、係合凸部（４７）が係合する係止凹部（３２）が設けられていることを特徴とするカーテン吊下具。
【請求項２】
前記リング（１９）が継ぎ目のない環状に形成されており、
前記固定板部（３７）には固定手段（２０）が入る上下貫通状孔（３９）が形成され、リング挿入溝（４２）の固定板部（３７）側はリング孔（４１）から上下貫通状孔（３９）に至る手前で前後方向中央部から前後方向外方に向けて湾曲されてリング挿入口（４３）に至ることを特徴とする請求項１に記載のカーテン吊下具。
【請求項３】
前記取付体（１７）は、底板部（２３）の前後両側から上方に突出した前後一対の側板部（２５）と側板部（２５）の左右方向外端部間を閉塞する閉塞板部（２７）とを有し、カーテンレール（３）の端部に取り付けられるエンドストップを構成するものであることを特徴とする請求項１又は２に記載のカーテン吊下具。
【請求項４】
前記取付体（１７）は、底板部（２３）の前後両側から上方に突出した前後一対の側板部（２５）と側板部（２５）の左右方向外端部から前後方向外方に突出した壁面支持板部（５１）とを有し、カーテンレール（３）を壁面に取り付けるための壁面ブラケットを構成するものであることを特徴とする請求項１〜３のいずれかに記載のカーテン吊下具。
【請求項５】
前記取付体（１７）は、底板部（２３）の前後両側から上方に突出した前後一対の側板部（２５）と側板部（２５）から前後方向内方に突設されていてカーテンレール（３）に長手方向摺動自在に係合する一対の係合凸片（３５）とを有し、カーテンレール（３）の任意の中間位置に固定される中間ストップを構成するものであることを特徴とする請求項１〜３のいずれかに記載のカーテン吊下具。
【請求項６】
カーテンレール（３）に取り付けられる取付体（１７）と、リング孔（４１）を有し前記取付体（１７）に固定されるリング支持体（１８）と、リング支持体（１８）のリング孔（４１）に保持されるリング（１９）とを備えたカーテン吊下具であって、
取付体（１７）はカーテンレール（３）の下方に配置される底板部（２３）を有し、リング支持体（１８）は、底板部（２３）に固定される固定板部（３７）と該固定板部（３７）から下方に突出した支持板部（３８）とを有し、支持板部（３８）にリング孔（４１）が形成され、支持板部（３８）から固定板部（３７）に亘ってリング孔（４１）へのリング挿入溝（４２）が設けられ、リング挿入溝（４２）の支持板部（３８）側の端部はリング孔（４１）に連通され、リング挿入溝（４２）の固定板部（３７）側の端部は固定板部（３７）の外方に連通したリング挿入口（４３）とされ、固定板部（３７）はリング挿入口（４３）を塞ぐように底板部（２３）に重合されて固定手段により着脱自在に固定されており、
前記取付体（１７）は、底板部（２３）の前後両側から上方に突出した前後一対の側板部（２５）と側板部（２５）から前後方向内方に突設されていてカーテンレール（３）に長手方向摺動自在に係合する一対の係合凸片（３５）とを有し、カーテンレール（３）の任意の中間位置に固定される中間ストップを構成するものであることを特徴とするカーテン吊下具。
【発明の詳細な説明】
【技術分野】
【０００１】
本発明は、カーテンレールにカーテンを吊り下げ支持させるカーテン吊下具に関するものである。
【背景技術】
【０００２】
天井面や壁面に設置されるカーテンレールにカーテンを吊り下げ支持させるために、カーテン吊下具が用いられる。このカーテン吊下具は、カーテンレールに取り付けられる取付体と、取付体に固定されるリング支持体と、リング支持体のリング孔に保持されるリングとを備え、リングは、カーテンの上端部に取り付けられるカーテンフック等を介してカーテンを吊り下げ支持する。
【０００３】
この種の従来のカーテン吊下具では、取付体は、例えば、カーテンレールの端部に取り付けられるエンドストップ（エンドキャップ）を構成し、リング支持体は、エンドストップの底板部に固定される固定板部と該固定板部から下方に突出した支持板部とをＬ字状に有し、支持板部にリング孔が貫通形成されており、リング支持体のリング孔にリングを挿通保持するようにしたものがある（例えば特許文献１）。
【先行技術文献】
【特許文献】
【０００４】
【特許文献１】特開２００３−２５０６９２号公報
【発明の概要】
【発明が解決しようとする課題】
【０００５】
しかし、従来の場合、リング支持体の支持板部にリング孔を開口形成しているだけであったので、リングをリング支持体に保持する場合、支持板部のリング孔に１本の線材を挿通し、その線材を環状に折曲してその両端を付き合わせることによって、リングを形成しながらリング支持体のリング孔に挿通保持していた。また、リングの剛性を高めるためには、リングの両端を溶接によって接合することが必要となる場合もあった。
【０００６】
従って、リングにはワッシャー等の継ぎ目のない環状のものを使用することができず、不便であるし、リングのリング支持体への保持が非常に面倒であった。
また、リングを交換する必要が生じた場合には、リングを変形させるか又は切断して支持板部から取り外し、リングの素材である線材を支持板部のリング孔に挿通し、それを折曲して新たなリングを形成しながらリング孔に挿通保持しなければならない。また、取り外されたリングは切断等によって再使用できない状態になることが多いため、廃材が発生するという問題もあった。
【０００７】
本発明は上記問題点に鑑み、カーテンを吊り下げ支持するリングとして継ぎ目のない環状のものを使用することができ、しかもリングのリング支持体への保持や交換が容易で、且つ廃材の発生を抑制することができるカーテン吊下具を提供することを目的としている。
【課題を解決するための手段】
【０００８】
本発明における課題解決のための具体的手段は、次の通りである。
この技術的課題を解決する本発明の技術的手段は、カーテンレール３に取り付けられる取付体１７と、リング孔４１を有し前記取付体１７に固定されるリング支持体１８と、リング支持体１８のリング孔４１に保持されるリング１９とを備えたカーテン吊下具であって、
取付体１７はカーテンレール３の下方に配置される底板部２３を有し、リング支持体１８は、底板部２３に固定される固定板部３７と該固定板部３７から下方に突出した支持板部３８とを有し、支持板部３８にリング孔４１が形成され、支持板部３８から固定板部３７に亘ってリング孔４１へのリング挿入溝４２が設けられ、リング挿入溝４２の支持板部３８側の端部はリング孔４１に連通され、リング挿入溝４２の固定板部３７側の端部は固定板部３７の外方に連通したリング挿入口４３とされ、固定板部３７はリング挿入口４３を塞ぐように底板部２３に重合されて固定手段により着脱自在に固定される点にある。
【０００９】
また、本発明の他の技術的手段は、前記固定板部３７又は底板部２３の一方に、リング挿入溝４２の左右方向両側に対応して係合凸部４７が突設され、他方に、係合凸部４７が係合する係止凹部３２が設けられている点にある。
また、本発明の他の技術的手段は、前記リング１９が継ぎ目のない環状に形成されており、前記固定板部（３７）には固定手段（２０）が入る上下貫通状孔（３９）が形成され、リング挿入溝（４２）の固定板部（３７）側はリング孔（４１）から上下貫通状孔（３９）に至る手前で前後方向中央部から前後方向外方に向けて湾曲されてリング挿入口（４３）に至る点にある。
【００１０】
また、本発明の他の技術的手段は、前記取付体１７は、底板部２３の前後両側から上方に突出した前後一対の側板部２５と側板部２５の左右方向外端部間を閉塞する閉塞板部２７とを有し、カーテンレール３の端部に取り付けられるエンドストップを構成するものである点にある。
また、本発明の他の技術的手段は、前記取付体１７は、底板部２３の前後両側から上方に突出した前後一対の側板部２５と側板部２５の左右方向外端部から前後方向外方に突出した壁面支持板部５１とを有し、カーテンレール３を壁面に取り付けるための壁面ブラケットを構成するものである点にある。
【００１１】
また、本発明の他の技術的手段は、前記取付体１７は、底板部２３の前後両側から上方に突出した前後一対の側板部２５と側板部２５から前後方向内方に突設されていてカーテンレール３に長手方向摺動自在に係合する一対の係合凸片３５とを有し、カーテンレール３の任意の中間位置に固定される中間ストップを構成するものである点にある。
【発明の効果】
【００１２】
本発明によれば、リングをリング支持体のリング孔に保持する場合、リング支持体を取付体から取り外した状態で、リングをリング支持体のリング挿入口からリング挿入溝を通してリング孔に挿通保持し、その後、リング支持体の固定板部を取付体の底板部に重合させて固定手段で固定板部を底板部に固定すればよく、リング挿入溝のリング挿入口は底板部によって塞がれ、リングがリング孔からリング挿入溝を通して外れるおそれはなくなる。
【００１３】
また、リングをリング支持体から取り外す場合は、固定手段の操作で底板部からリング支持体を外し、その後、リングをリング挿入溝を通してリング挿入口から取り出せばよく、リングを簡単に取り外すことができる。
従って、カーテンを吊り下げ支持するリングとして継ぎ目のない環状のものを使用することができ、便利であり、しかもリングのリング支持体への保持や交換を容易になすことができる。
【００１４】
また、リングを交換する場合に、リングを変形させたり又は切断したりして支持板部から取り外す必要がなくなり、取り外されたリングを再使用することができるようになり、廃材の発生を抑制することができる。
【図面の簡単な説明】
【００１５】
【図１】本発明の第１実施形態を示すカーテン吊下具をカーテンレールに装着した状態の斜視図である。
【図２】同図１のＡ−Ａ線断面図である。
【図３】同カーテン吊下具の斜視図である。
【図４】同取付体及びリング支持体の正面断面図である。
【図５】同取付体及びリング支持体の分解平面図である。
【図６】同他のカーテン吊下具の斜視図である。
【図７】第２実施形態を示すカーテン吊下具の斜視図である。
【発明を実施するための形態】
【００１６】
以下、本発明の実施の形態を図面に基づいて説明する。
図１〜図６は本発明の第１実施形態を示している。図１において、カーテン吊下具１は、天井面や壁面に設置されるカーテンレール３にカーテンを吊り下げ支持させるために用いられるもので、本実施形態では、カーテン吊下具１は、カーテンレール３の任意の中間位置に取り付けられる中間ストップとして使用されるカーテン吊下具１Ａと、カーテンレール３の端部に取り付けられるエンドストップとして使用されるカーテン吊下具１Ｂとの２種類がある。
【００１７】
ここで、カーテンレール３は、図１及び図２に示すように、アルミニウム等の金属により形成される断面略Ｉ字形のもので、垂直壁４と、その上端部から前後両側に突出した頂部壁５と、垂直壁４の下端部から前後両側に突出した底部壁６とを有する。
頂部壁５の前後両端部は下方に屈曲し、底部壁６の前後両端部は上方に屈曲している。頂部壁５の上面の幅方向（前後方向）中央部と底部壁６の底面の幅方向（前後方向）中央部には、長手方向（左右方向）に延びる溝７が設けられている。
【００１８】
カーテンレール３は、略Ｃ字形の固定部材９、取付ねじ１０、Ｌ字形のブラケット１１及びタッピンねじ１２等によって壁面１３に取り付けられる。なお、カーテンレール３を他の部材によって壁面や天井面に取り付けることもできる。
図１〜図６において、カーテン吊下具１は、カーテンレール３に取り付けられる取付体１７と、取付体１７に固定されるリング支持体１８と、リング支持体１８に挿通保持されるリング１９と、リング支持体１８を取付体１７に固定する固定手段である固定ねじ２０とを備えている。
【００１９】
カーテン吊下具１Ａ，１Ｂの取付体１７は互いに異なっているが、カーテン吊下具１Ａ，１Ｂのリング支持体１８とリング１９と固定ねじ２０とは互いに同一形状であって共通のものである。
図１〜図５において、カーテン吊下具１Ａの取付体１７は、底板部２３を有すると共に、底板部２３の前後両側から上方に突出した前後一対の側板部２５と側板部２５から前後方向内方に突設されていてカーテンレール３に係合する前後一対の係合凸片３５とを有し、カーテンレール３の任意の中間位置に固定される中間ストップを構成している。
【００２０】
係合凸片３５は、側板部２５の上下方向の中途部に配置されていて、底板部２３の上面と平行に延びており、平面視略台形状を呈し、カーテンレール３の底部壁６に上側から長手方向摺動自在に係合する。
底板部２３は長方形の板状に形成され、固定ねじ２０が挿入可能な取付孔３１が上下貫通状に形成されると共に、前後一対の係止凹部３２が上下貫通状に形成されている。
【００２１】
図１及び図６において、カーテン吊下具１Ｂの取付体１７は、例えば金属板をプレス加工することによって形成され、カーテンレール３の下方に水平状に配置される底板部２３を有すると共に、底板部２３の前後両側から上方に突出した前後一対の側板部２５と側板部２５の上端部間を連結する天板部２６と側板部２５の左右方向外端部間を閉塞する閉塞板部２７とを有し、左右方向の内端部が開口した長方形の箱形に形成されて、カーテンレール３の端部に取り付けられるエンドストップを構成している。
【００２２】
カーテン吊下具１Ｂの底板部２３は、前記カーテン吊下具１Ａの底板部２３と同様の構成であり、取付孔３１が形成されると共に前後一対の係止凹部３２が形成されている。
図１〜図６において、リング支持体１８は、例えば金属板をプレス加工することによって形成され、底板部２３に固定される固定板部３７と該固定板部３７の左右方向の一端部から下方に突出した支持板部３８とをＬ字状に有している。固定板部３７は底板部２３と前後幅が略同幅の長方形板状に形成され、底板部２３上の側板部２５間に載置可能である。固定板部３７に固定ねじ２０が螺合するねじ孔３９が取付孔３１に対応して上下貫通状に設けられている。
【００２３】
支持板部３８は三角板形状に形成され、その下部に円形のリング孔４１が貫通形成され、支持板部３８から固定板部３７に亘ってリング孔４１にリング１９を挿入するためのリング挿入溝４２が設けられている。
リング挿入溝４２は支持板部３８及び固定板部３７に亘って左右又は上下に貫通状に形成され、リング挿入溝４２の支持板部３８側の端部はリング孔４１に連通され、支持板部３８側ではリング孔４１から支持板部３８の前後方向中央部を上方に向けて直線状に形成され、固定板部３７側では前後方向中央部から前後方向外方に向けて湾曲され、リング挿入溝４２の固定板部３７側の端部は固定板部３７の外方に連通されてリング挿入口４３とされている。
【００２４】
而して、リング挿入溝４２の形成によって支持板部３８から固定板部３７に亘って前後に２股状に分かれた前後の分離片部４４，４５が形成されている。固定板部３７はリング
挿入口４３を塞ぐように底板部２３に重合されて固定手段（固定ねじ２０）により着脱自在に固定されるようになっている。
固定板部３７に、リング挿入溝４２の前後方向両側に対応して係合凸部４７が下方突設されている。この係合凸部４７は底板部２３の一対の係止凹部３２にそれぞれ対応しており、係止凹部３２に上側から係脱自在に係合するようになっている。係合凸部４７は例えば固定板部３７の上面側からプレス成形するによって形成され、係止凹部３２は例えば底板部２３に打ち抜きによって形成されている。
【００２５】
固定ねじ２０は、軸部２０ａと頭部２０ｂとを有し、頭部２０ｂは平面視六角形状で、その端面にはプラスドライバーの先端部が嵌合する十字溝４９が設けられている。底板部２３上に固定板部３７を載置して、固定ねじ２０を底板部２３の下側から取付孔３１に挿入すると共にねじ孔３９に螺合して締め付けることにより、底板部２３上に固定板部３７が締め付け固定され、このとき、リング挿入溝４２のリング挿入口４３が底板部２３によって塞がれるようになっている。また、このとき、固定板部３７の前後両側に取付体１７の側板部２５が位置し、リング挿入口４３が一方の側板部２５によっても塞がれるようになっている。
【００２６】
また、固定ねじ２０はカーテン吊下具１Ａの取付体１７の底板部２３上にリング支持体１８の固定板部３７を締め付けたときに、固定ねじ２０の軸部２０ａの先端部が固定板部３７よりもやや上方に突出し、軸部２０ａの先端部がカーテンレール３の底部壁６の下面を上方に押圧して、底部壁６の両側端部が一対の係合凸片３５に下側から押圧当接し、これにより取付体１７がカーテンレール３に沿って移動しないように固定できるようになっている。従って、固定ねじ２０を緩めると取付体１７はカーテンレール３に沿って移動可能になり、固定ねじ２０を締め付けると取付体１７はカーテンレール３に移動しないように固定でき、固定ねじ２０は中間ストップを構成する取付体１７をカーテンレール３に締め付け固定する固定手段に兼用されている。
【００２７】
また、固定ねじ２０はカーテン吊下具１Ｂの取付体１７の底板部２３上にリング支持体１８の固定板部３７を締め付けたときに、固定ねじ２０の軸部２０ａの先端部が固定板部３７よりもやや上方に突出し、軸部２０ａの先端部がカーテンレール３の底部壁６を上方に押圧して、頂部壁５が天板部２６に下側から押圧当接し、これにより取付体１７がカーテンレール３の端部に移動しないように固定できるようになっており、固定ねじ２０はエンドストップを構成する取付体１７をカーテンレール３に締め付け固定する固定手段に兼用されている。
【００２８】
リング１９は、ワッシャー等の金属によって断面矩形であって継ぎ目のない環状に形成されている。リング１９は、図示省略のカーテンの上端部に取り付けられるカーテンフックを介してカーテンを吊り下げ支持する。
前記第１実施形態によれば、カーテン吊下具１Ａをカーテンレール３に装着する場合、まず、取付体１７の底板部２３上にリング支持体１８の固定板部３７を載置し、固定板部３７の一対の係合凸部４７を底板部２３の一対の係止凹部３２に係合させる。
【００２９】
次に、リング支持体１８の固定板部３７と取付体１７の一対の係合凸片３５との間にカーテンレール３の底部壁６を長手方向に挿入し、取付体１７をカーテンレール３の長手方向に摺動させて所定の位置に位置決めする。
そして、固定ねじ２０を下方から取付体１７の取付孔３１に挿通すると共にリング支持体１８のねじ孔３９に螺合して締め付けると、軸部２０ａの先端部がカーテンレール３の底部壁６を上方に押圧し、底部壁６が一対の係合凸片３５に圧接されて取付体１７がカーテンレール３に固定される。
【００３０】
また、カーテン吊下具１Ｂをカーテンレール３に装着する場合、まず、取付体１７の底板部２３上にリング支持体１８の固定板部３７を載置し、固定板部３７の一対の係合凸部４７を底板部２３の一対の係止凹部３２に係合させる。
次に、リング支持体１８の固定板部３７と取付体１７の天板部２６との間にカーテンレール３の端部を挿入して閉塞板部２７の内面に当接させる。
【００３１】
そして、固定ねじ２０を下方から底板部２３の取付孔３１に挿通すると共に固定板部３
７のねじ孔３９に螺合して締め付けると、軸部２０ａの先端部がカーテンレール３の底部壁６を押圧し、頂部壁５が天板部２６に圧接されて取付体１７がカーテンレール３に固定される。
次に、リング１９をリング支持体１８のリング孔４１に保持する場合、リング支持体１８を取付体１７から取り外した状態で、リング１９をリング支持体１８のリング挿入口４３からリング挿入溝４２を通してリング孔４１に挿通保持する。その後、リング支持体１８の固定板部３７を取付体１７の底板部２３上に載せて、固定ねじ２０を下方から底板部２３の取付孔３１に挿通すると共に固定板部３７のねじ孔３９に螺合して締め付けると、固定板部３７は底板部２３に重合固定される。このとき、リング挿入溝４２のリング挿入口４３は底板部２３によって塞がれると共に、一方の側壁部によっても塞がれ、リング１９がリング孔４１からリング挿入溝４２を通して外れるおそれはなくなる。
【００３２】
また、このとき、左右の係合凸部４７が係止凹部３２に強く密着係合して、支持板部３８から固定板部３７に亘ってリング挿入溝４２が形成されているにも拘わらず、前後の分離片部４４，４５が互いに前後及び上下等にガタ付くようなこともなくなり、固定板部３７を底板部２３に強固に重合固定しておくことができる。
また、リング１９をリング支持体１８から取り外す場合は、固定ねじ２０を緩め方向に回動して底板部２３から取り外して底板部２３からリング支持体１８を外し、その後リング１９をリング挿入溝４２を通してリング挿入口４３から取り出せばよく、リング１９を簡単に取り外すことができる。
【００３３】
従って、カーテンを吊り下げ支持するリング１９として継ぎ目のない環状のものを使用することができ便利であり、しかもリング１９のリング支持体１８への挿通保持や交換を容易になすことができる。
また、リング１９を交換する場合には、リング１９を変形させたり又は切断したりして支持板部３８から取り外す必要がなくなり、取り外されたリング１９を再使用することができるようになり、廃材の発生を抑制することができる。
【００３４】
更に、リング支持体１８及びリング１９をカーテン吊下具１Ａ，１Ｂに対して同一形状のものを使用することができ、リング支持体１８をエンドストップを構成する取付体１７と中間ストップを構成する取付体１７とに対して共通にすることができ、経済的である。
また、カーテン吊下具１Ａ，１Ｂにリング１９があるため、カーテン吊下具１Ａ，１Ｂが装飾性に優れたものになるし、リング支持体１８及びリング１９を、カーテンを吊り下げるためのランナーにも共通部品として使用することができ、経済的である。また、カーテン吊下具１とカーテンレール３との固定において斜め方向からの荷重に対して、リング１９が自由に動くため、負荷を一点に集中することなく分散させることができる。
【００３５】
図７は第２実施形態を示し、カーテン吊下具１の取付体１７は、前記第１実施形態におけるエンドキャップを構成するカーテン吊下具１Ｂの取付体１７に代えて、カーテンレール３を壁面に取り付けるために使用されるもので、カーテン吊下具１の取付体１７は、底板部２３と、底板部２３の前後両側から上方に突出した前後一対の側板部２５と、側板部２５の上端部間を連結する天板部２６と、側板部２５の左右方向外端部から前後方向外方に突出した前後一対の壁面支持板部５１と、底板部２３の左右方向外端部の上方突設したストッパー片５０とを有し、壁面支持板部５１に取付孔５２が形成されており、カーテンレール３を壁面に取り付けるための壁面ブラケットを構成している。その他の点は前記第１実施形態の場合と同様の構成であり、カーテン吊下具１は、取付体１７とリング支持体１８とリング１９と固定ねじ２０とを備え、リング支持体１８の支持板部３８にリング孔４１が形成され、支持板部３８から固定板部３７に亘ってリング挿入溝４２が設けられている。
【００３６】
なお、前記実施形態では、固定ねじ２０により固定板部３７は底板部２３に着脱自在に載置固定されているが、固定板部３７を底板部２３に重合固定する固定手段は固定ねじ２０に限定されず、ボルトナットその他の固定具や締付具により構成してもよい。また、固定板部３７を底板部２３の下面に重合固定するようにしてもよい。
また、本発明が適用されるカーテン吊下具１はエンドストップ、壁面ブラケット又は中
間ストップに限定されず、カーテンレール３に固定されないカーテン吊下具（例えば、ランナー）に適用することもできる。
【００３７】
また、前記実施形態では、固定板部３７に係合凸部４７が突設され、底板部２３に係止凹部３２が設けられているが、これに代え、固定板部３７に係止凹部３２を設け、底板部２３に係合凸部４７を突設するようにしてもよい。また、係止凹部３２は貫通孔に限定されず、凹みにより構成するようにしてもよい。
また、取付体１７、リング支持体１８又はリング１９は金属に代えて合成樹脂その他で形成するようにしてもよい。
【符号の説明】
【００３８】
１      カーテン吊下具
３      カーテンレール
１７    取付体
１８    リング支持体
１９    リング
２０    固定ねじ
２３    底板部
２５    側板部
２７    閉塞板部
３２    係止凹部
３５    係合凸片
３７    固定板部
３８    支持板部
４１    リング孔
４２    リング挿入溝
４３    リング挿入口
４７    係合凸部
５１    壁面支持板部
【図１】
0006315603.tif 000002
【図２】
0006315603.tif 000003
【図３】
0006315603.tif 000004
【図４】
0006315603.tif 000005
【図５】
0006315603.tif 000006
【図６】
0006315603.tif 000007
【図７】
0006315603.tif 000008